(57)【要約】【課題】  周囲環境や経時変化によってレーザ光源の微分効率が変化した場合であっても、簡単な回路構成及び制御でもって、短時間でレーザ光源の閾値電流及び加算電流を補正して、レーザ光源からの光出力を一定に保つ。【解決手段】  制御回路１１は、ＡＰＣ制御後、このＡＰＣ制御で決定された新たな駆動電流と、記憶装置１１ａに記憶されている駆動電流情報とに基づいて、レーザダイオードＬＤのバイアス電流を検出して設定電圧Ｖｂを補正し、このバイアス電流に基づいて加算電流を算出して設定電圧Ｖｓを補正することによって、レーザダイオードＬＤの光出力が一定となるように、レーザダイオードＬＤの駆動電流を制御する。【選択図】      図３
2006088362.tif 000002
【特許請求の範囲】
【請求項１】
レーザ光源と、
前記レーザ光源を駆動するレーザ駆動手段と、
前記レーザ光源にレーザ発光を開始させるために必要な閾値電流を検出する閾値電流検出手段と、
前記レーザ駆動手段が前記レーザ光源を駆動するために用いる駆動電流を制御する駆動電流制御手段と、
予め定められた光出力で前記レーザ光源を発光させるために必要な駆動電流及び当該駆動電流に用いられる閾値電流が含まれる駆動電流情報を複数記憶する駆動電流情報記憶手段とを備え、
前記閾値電流検出手段は、前記駆動電流情報記憶手段に記憶されている駆動電流情報に基づいて、前記レーザ光源の前記閾値電流を算出し、前記駆動電流制御手段は、当該閾値電流検出手段によって算出された閾値電流と、当該閾値電流に基づいて算出した加算電流とを用いて前記駆動電流を制御する画像形成装置。
【請求項２】
前記閾値電流検出手段によって前記閾値電流が検出される度に、この閾値電流と、当該閾値電流に基づいて算出した加算電流とを用いた前記駆動電流を記憶する駆動電流記憶部を更に備え、
前記駆動電流制御手段は、次回のオートパワーコントロール制御時に、前記駆動電流記憶部に記憶されている駆動電流を、前記レーザ駆動手段が用いる駆動電流とする請求項１に記載の画像形成装置。
【請求項３】
前記レーザ光源が複数設けられ、
前記複数の各レーザ光源毎の前記駆動電流情報が前記駆動電流情報記憶手段に記憶されている請求項１又は請求項２に記載の画像形成装置。
【請求項４】
前記駆動電流情報記憶手段は、前記レーザ光源が設けられているユニット内に設けられている請求項１乃至請求項３のいずれかに記載の画像形成装置。
【請求項５】
前記駆動電流情報記憶手段は、前記レーザ光源が設けられている基板内に設けられている請求項１乃至請求項４のいずれかに記載の画像形成装置。
【請求項６】
前記駆動電流情報記憶手段は、前記加算電流設定手段が設けられている基板内に設けられている請求項１乃至請求項５のいずれかに記載の画像形成装置。
【発明の詳細な説明】
【技術分野】
【０００１】
本発明は、プリンタ、コピー機等の画像形成装置に関し、特に、電子写真方式による画像形成におけるレーザ光源の駆動制御に関するものである。
【背景技術】
【０００２】
電子写真方式の画像形成装置における画像形成部のレーザ光源は、閾値電流なる変化点を有し、この閾値電流よりも大きい電流が流れたときにレーザ発光するという特性と、流れる電流の大きさに比例して光出力が変化するというレーザ素子の特性とを有する。これらレーザ光源の特性に基づき、レーザ光源の駆動制御は、レーザ駆動回路によってレーザ光源に一定のＤＣ電流（バイアス電流）を流しておき、これに加えて画像データによってスイッチするスイッチ電流（加算電流）を流すことによって行われるようになっている。このように駆動制御されるレーザ光源は、その周囲環境や経時変化によって、単位駆動電流あたりの光出力の増加分を示す微分効率が変化する。このような微分変化が生じた場合であっても、レーザ光源から一定の光出力が得られるようにするため、特許文献１に示されるように、イニシャライズ時にタイミング生成部３１によって、誤差増幅部２３の制御速度よりも十分に遅いタイミング信号を生成し、そのタイミング信号に基づき微分量子効率検出部３２により半導体レーザ１の微分量子効率を検出し、この検出結果に基づいて加算電流設定部３４の電流を設定するレーザ制御方法が提案されている。
【特許文献１】特開平９−２６６３４１号公報
【発明の開示】
【発明が解決しようとする課題】
【０００３】
しかしながら、上記特許文献１に示されたレーザ制御方法の場合、レーザ光源からの光出力を一定にするために、周囲環境や経時変化を要因として変化するレーザ光源の閾値電流及び微分効率に応じたレーザ光源の閾値電流及びスイッチ電流の補正を行うには、レーザ光源からの光出力を受光する受光素子から得られる受光信号と、パルス幅変調・強度変調信号生成部から与えられるレーザ光源の発光指令信号とが等しくなるように、レーザ光源の順方向電流を制御する誤差増幅部等を備える必要があるため、回路構成が複雑になるとう問題がある。
【０００４】
本発明は、上記の問題を解決するためになされたもので、周囲環境や経時変化によってレーザ光源の微分効率が変化した場合であっても、簡単な回路構成及び制御でもって、短時間でレーザ光源の閾値電流及び加算電流を補正して、レーザ光源からの光出力を一定に保つことができる画像形成装置を提供することを目的とするものである。
【課題を解決するための手段】
【０００５】
本発明の請求項１に記載の発明は、レーザ光源と、
前記レーザ光源を駆動するレーザ駆動手段と、
前記レーザ光源にレーザ発光を開始させるために必要な閾値電流を検出する閾値電流検出手段と、
前記レーザ駆動手段が前記レーザ光源を駆動するために用いる駆動電流を制御する駆動電流制御手段と、
予め定められた光出力で前記レーザ光源を発光させるために必要な駆動電流及び当該駆動電流に用いられる閾値電流が含まれる駆動電流情報を複数記憶する駆動電流情報記憶手段とを備え、
前記閾値電流検出手段は、前記駆動電流情報記憶手段に記憶されている駆動電流情報に基づいて、前記レーザ光源の前記閾値電流を算出し、前記駆動電流制御手段は、当該閾値電流検出手段によって算出された閾値電流と、当該閾値電流に基づいて算出した加算電流とを用いて前記駆動電流を制御するものである。
【０００６】
この構成では、閾値電流検出手段は、レーザ光源の閾値電流を、駆動電流情報記憶手段に記憶されている駆動電流情報に基づいて算出する。そして、駆動電流制御手段は、当該閾値電流検出手段によって算出された閾値電流と、当該閾値電流に基づいて算出した加算電流とを用いて駆動電流を制御する。これにより、予め定められた光出力でレーザ光源を発光させるために必要な駆動電流が、レーザ光源の周囲環境に応じて変化した場合であっても、複雑な計測や制御を行うことなく、レーザ光源の周囲環境に応じた新たな閾値電流及び加算電流を算出して補正することができる。
【０００７】
また、請求項２に記載の発明は、請求項１に記載の画像形成装置であって、前記閾値電流検出手段によって前記閾値電流が検出される度に、この閾値電流と、当該閾値電流に基づいて算出した加算電流とを用いた前記駆動電流を記憶する駆動電流記憶部を更に備え、
前記駆動電流制御手段は、次回のオートパワーコントロール制御時に、前記駆動電流記憶部に記憶されている駆動電流を、前記レーザ駆動手段が用いる駆動電流とするものである。
【０００８】
この構成によれば、駆動電流制御手段は、次回のオートパワーコントロール制御時に、駆動電流記憶部に記憶されている駆動電流を、レーザ駆動手段が用いる駆動電流とするので、レーザ光源の閾値電流及び加算電流を補正するために必要な時間を短縮することができる。
【０００９】
また、請求項３に記載の発明は、請求項１又は請求項２に記載の画像形成装置であって、前記レーザ光源が複数設けられ、
前記複数の各レーザ光源毎の前記駆動電流情報が前記駆動電流情報記憶手段に記憶されているものである。
【００１０】
この構成によれば、複数の各レーザ光源毎の駆動電流情報が駆動電流情報記憶手段に記憶されているので、当該画像形成装置に備えられている個々のレーザ光源の特性を考慮して、各レーザ光源毎に閾値電流及び加算電流を的確に補正することができる。
【００１１】
また、請求項４に記載の発明は、請求項１乃至請求項３のいずれかに記載の画像形成装置であって、前記駆動電流情報記憶手段は、前記レーザ光源が設けられているユニット内に設けられているものである。
【００１２】
この構成によれば、故障等によりレーザ光源又はレーザ光源が搭載されている基板が別のレーザ光源又は基板に交換された場合であっても、上記駆動電流情報を記憶している駆動電流情報記憶手段はユニット内に残るので、レーザ光源又は基板の交換後も引き続き、駆動電流情報記憶手段に記憶されている駆動電流情報を用いて、レーザ光源の閾値電流及び加算電流を補正することができる。
【００１３】
また、請求項５に記載の発明は、請求項１乃至請求項４のいずれかに記載の画像形成装置であって、前記駆動電流情報記憶手段は、前記レーザ光源が設けられている基板内に設けられているものである。
【００１４】
また、請求項６に記載の発明は、請求項１乃至請求項５のいずれかに記載の画像形成装置であって、前記駆動電流情報記憶手段は、前記加算電流設定手段が設けられている基板内に設けられているものである。
【００１５】
これらの構成によれば、故障等によりレーザ光源が別のレーザ光源に交換された場合であっても、上記駆動電流情報を記憶している駆動電流情報記憶手段は上記基板内に残るので、レーザ光源の交換後も引き続き、駆動電流情報記憶手段に記憶されている駆動電流情報を用いて、レーザ光源の閾値電流及び加算電流を補正することができる。
【発明の効果】
【００１６】
請求項１に記載の発明によれば、複雑な計測や制御を行うことなく、レーザ光源の閾値電流及び加算電流を、レーザ光源の周囲環境に応じて新たに設定することができる。そのため、簡単な回路構成及び制御でもって、レーザ光源の閾値電流及び加算電流を補正して、レーザ光源からの光出力を一定に保つことができる。
【００１７】
請求項２に記載の発明によれば、駆動電流制御手段は、次回のオートパワーコントロール制御時に、駆動電流記憶部に記憶されている駆動電流を、レーザ駆動手段が用いる駆動電流とするので、レーザ光源の閾値電流及び加算電流を補正するために必要な時間を短縮することができる。
【００１８】
請求項３に記載の発明によれば、当該画像形成装置に備えられている個々のレーザ光源毎に、閾値電流及び加算電流を的確に補正することができる。
【００１９】
請求項４に記載の発明によれば、故障等により、レーザ光源又はレーザ光源が搭載されている基板が、別のレーザ光源又は基板に交換された後も、引き続き、駆動電流情報記憶手段に記憶されている駆動電流情報を用いて、レーザ光源の閾値電流及び加算電流を補正することができる。
【００２０】
請求項５及び請求項６に記載の発明によれば、故障等により、レーザ光源が別のレーザ光源に交換された後も、引き続き、駆動電流情報記憶手段に記憶されている駆動電流情報を用いて、レーザ光源の閾値電流及び加算電流を補正することができる。
【発明を実施するための最良の形態】
【００２１】
以下、本発明の一実施形態に係る画像形成装置について図面を参照して説明する。図１は本発明に係る画像形成装置の概略構成を示す図である。本発明に係るプリンタ１は、露光装置２と、現像装置３と、帯電器４と、感光体ドラム５と、転写ローラ６と、定着装置７と、給紙カセット８とを備えている。
【００２２】
プリンタ１による画像形成プロセスは、図略の制御部等による制御で、次のようにして行われる。プリンタ１が、ネットワーク等によりプリンタ１に接続されたパーソナルコンピュータから印刷対象となるデータを受信すると、帯電器４によって感光体ドラム５の表面が均一に帯電される。この帯電された状態の感光体ドラム５の表面に対して、露光装置２によるレーザ光を用いた露光が行われ、感光体ドラム５の表面上に静電潜像が形成される。この感光体ドラム５の表面に形成された静電潜像に対して、現像装置３からトナーが供給され、現像が行われる。これにより、感光体ドラム５表面の静電潜像が顕画化され、感光体ドラム５の表面にトナー画像が形成される。次に、給紙カセット８から記録紙が用紙搬送路９を通って感光体ドラム５及び転写ローラ６との間まで搬送され、感光体ドラム５の矢印方向への回転に伴って、転写ローラ６に対向する位置まで移動してきたトナー画像が、転写ローラ６による転写バイアスの印加により、感光体ドラム５の表面から記録紙に転写される。トナー画像が転写された記録紙は、定着装置７まで搬送され、定着装置７における記録紙への熱及び圧力付加により、トナー画像が記録紙に固着される。
【００２３】
露光装置２の構成について説明する。図２は露光装置２の概略構成を示す図である。露光装置２は、レーザ走査ユニット（ＬＳＵ）からなり、レーザビームの照射により感光体ドラム５の表面に静電潜像を形成する。露光装置２は、レーザ光源の一例である半導体レーザ２０１と、コリメータレンズ２０２と、絞り２０３と、回転多面鏡２０４と、ｆ−θレンズ２０５とを有している。
【００２４】
半導体レーザ２０１は、本実施形態では、その内部にレーザダイオードが設けられており、さらに、このレーザダイオードが発したレーザ光を検出するフォトダイオードも設けられた構成となっている。半導体レーザ２０１から発せられたレーザ光は、コリメータレンズ２０２及び絞り２０３によって平行光とされ、この平行光が所定のビーム径で回転多面鏡２０４に入射するようになっている。回転多面鏡２０４は、矢印ａ方向に等速度で回転する。この回転多面鏡２０４の回転によって、入射光が連続的に角度を変える偏向ビームとなって反射される。偏向ビームとなったレーザ光は、ｆ−θレンズ２０５によって集光されるが、ｆ−θレンズ２０５は走査の時間的な直線性を保つように補正を行うため、上記偏向ビームは像担持体である感光体ドラム５上に矢印ｂ方向に等速で走査される。
【００２５】
また、回転多面鏡２０４によって反射される偏向ビームは、ｆ−θレンズ２０５を介して、ＢＤセンサ２０６にも入射される。このＢＤセンサ２０６は、回転多面鏡２０４からの反射光を検出するセンサであり、ＢＤセンサ２０６の検出信号は、回転多面鏡２０４の回転と、データの書き出しとの同期を取るための同期信号として用いられる。
【００２６】
次に、半導体レーザ２０１を駆動するレーザ駆動回路について説明する。図３はレーザ駆動回路の概略構成を示す図、図４はレーザダイオードの温度に応じた動作電流変化特性を示す図、図５はレーザダイオードの駆動時間経過に応じた動作電流変化特性を示す図である。半導体レーザ２０１を駆動するレーザ駆動回路（レーザ駆動手段）１０は、制御回路（閾値検出手段、駆動電流制御手段）１１と、この制御回路１１内に設けられている記憶装置（駆動電流情報記憶手段、駆動電流記憶部）１１ａと、スイッチング回路１２と、電流源１３ａと、電流源１３ｂと、Ｉ／Ｖ変換回路１４とを備えている。
【００２７】
制御回路１１は、レーザ駆動回路１０の各部の動作制御を司るものであり、記憶装置１１ａが内蔵されている。記憶装置１１ａは、予め定められた光出力で半導体レーザ２０１を発光させるために必要な駆動電流及び当該駆動電流に用いられる閾値電流等からなる駆動電流情報を複数記憶している。
【００２８】
例えば、図４及び図５に示すように、半導体レーザ２０１（レーザダイオードＬＤ）は、周囲温度が変化したり、駆動時間が経過していくと、それに伴って、予め定められた光出力で半導体レーザ２０１を発光させるために必要な駆動電流が変化する特性を有する。予め定められた一定の光出力で半導体レーザ２０１を発光させるためにＡＰＣ制御が行われて駆動電流が変更された場合、それに伴って、バイアス電流及び加算電流が補正されるべきであるが、この場合にバイアス電流及び加算電流の補正値を短時間で検出するために、記憶装置１１ａに、駆動電流及び当該駆動電流に用いられる閾値電流等からなる駆動電流情報を予め記憶しておくこととしている。
【００２９】
例えば、バイアス電流の補正には、Ｉｂ＝０ｍＡから電流値を増加させて、その発光量が急激に大きくなった値を閾値電流とする。このときＩｂ＝０ｍＡからではなく、予め記憶されているＩｂから始めることにより閾値電流の算出は短時間で行うことができる。加算電流についても同様に、閾値電流から増加させるのではなく、記憶情報を用いることにより短時間で検出が可能となる。
【００３０】
なお、図4に示すように、周囲温度が変化した場合は、微分効率はほぼ一定であるが、閾値電流の変化が大きいため、バイアス電流を補正することにより(例えば、図4のＩｂＴ１からＩｂＴ２に)、駆動電流を変更して(例えば、図4のＩｏｐｔ１からＩｏｐｔ２に)発光量を一定に保つ。
【００３１】
しかし、図5に示すように、半導体レーザ201の駆動時間経過に応じて駆動電流を変更する場合は（例えば図５のＩｏｐＴ１からＩｏｐＴ２に）、微分効率が変化するので、バイアス電流だけでなく（バイアス電流は必ずしも補正の必要はない：例えば図５のＩｂ）加算電流も補正する必要がある。
【００３２】
これらを考慮して、周囲温度又は駆動時間経過のいずれを重視するかによって、記憶装置１１ａに記憶させておく駆動電流とそれに対応するバイアス電流の組合せを異ならせるようにしてもよい。
【００３３】
また、制御回路１１は、半導体レーザ２０１のレーザダイオードＬＤにレーザ発光を開始させるために必要な閾値電流を、記憶装置１１ａに記憶されている駆動電流情報に基づいて求める。さらに、制御回路１１は、このように算出された閾値電流と、当該閾値電流に基づいて算出した加算電流とを、レーザダイオードＬＤの駆動電流として用いるべく制御する。すなわち、制御回路１１が制御する駆動電流は、閾値電流に、加算電流を加算したものである。
【００３４】
電流源１３ｂは、レーザダイオードＬＤにバイアス電流（閾値電流）を供給する。このバイアス電流の値は、制御回路１１からの設定電圧Ｖｂによって設定される。
【００３５】
電流源１３ａは、レーザダイオードＬＤに加算電流を供給する。この加算電流の値は、制御回路１１からの設定電圧Ｖｓによって設定される。
【００３６】
スイッチング回路１２は、Video信号に基づいてＬＤを駆動するか否かを切り換える。スイッチング回路１２は、ＬＤの駆動時は電源１３ａからの駆動電流をＬＤに供給してＬＤを点灯させ、ＬＤの消灯時は電源１３ａからの駆動電流を負荷電流抵抗ＲＬに流すようにする。これにより、ＬＤの駆動時には、ＬＤに対して、電流源１３ｂからのバイアス電流と、電流源１３ａからの駆動電流の両方が供給されるようになっている。
【００３７】
フォトダイオードＰＤは、レーザダイオードＬＤが発する光を受光して光電変換を行い、受光量（レーザダイオードＬＤの光出力）に応じた電流に変換するものである。Ｉ／Ｖ変換回路１４は、フォトダイオードＰＤによって光電変換された電流を電圧に変換して制御回路１１に出力するものである。
【００３８】
また、制御回路１１は、Ｉ／Ｖ変換回路１４から入力された電圧を基準電圧と比較することで、その時点で設定されているバイアス電流及び加算電流で駆動されるレーザダイオードＬＤによる光出力が、予め予定している値に達しているかを判断する。そして、制御回路１１は、Ｉ／Ｖ変換回路１４から入力される電圧が基準電圧に達するようにして、レーザダイオードＬＤの光出力が予め予定している値に達するようにするＡＰＣ（オートパワーコントロール）制御を行う。
【００３９】
また、制御回路１１は、上記のようにＡＰＣ制御により決定したレーザダイオードＬＤの新たな駆動電流に対するバイアス電流の値を、記憶装置１１ａに記憶されている駆動電流情報から検出する。例えば、予め定められた所定の光出力をレーザダイオードＬＤが発するのに必要な駆動電流Ｉ１が必要であったとすると、制御回路１１は、駆動電流Ｉ１を採用した場合に用いるべき閾値として予め記憶されているバイアス電流を、記憶装置１１ａの駆動電流情報から読み出す。そして、制御回路１１は、当該検出したバイアス電流が、電流源１３ｂによってレーザダイオードＬＤに供給されるようにするため、設定電圧Ｖｂを適切な値に変更する。さらに、制御回路１１は、上記新たな駆動電流の値と、当該変更後の設定電圧Ｖｂの値とから、新たな設定電流Ｖｓを算出して設定変更する。
【００４０】
レーザ駆動回路１０による駆動電流及びバイアス電流の変更制御について説明する。図６はレーザ駆動回路１０によるバイアス電流及び加算電流の変更制御処理の流れを示すフローチャートである。レーザ駆動回路１０によるバイアス電流及び加算電流の変更制御は、例えば、プリンタ１の電源立ち上げ時やプリンタ１による画像形成直前などに行われる。制御回路１１は、その時点で採用している設定電圧Ｖｂにより電流源１３ｂからレーザダイオードＬＤにバイアス電流を供給し（Ｓ１）、設定電圧Ｖｓにより電流源１３ａからレーザダイオードＬＤに加算電流を供給して（Ｓ２）、Ｖｉｄｅｏ信号をＯＮ、即ちＬＤ駆動に切り替えてレーザダイオードＬＤを発光させる。
【００４１】
レーザダイオードＬＤの発する光がフォトダイオードＰＤに受光されると、フォトダイオードＰＤが受光した光を光電変換する（Ｓ３）。フォトダイオードＰＤによって光電変換されたは、更にＩ／Ｖ変換回路１４によって電圧に変換される（Ｓ４）。制御回路１１は、Ｉ／Ｖ変換回路１４から入力される電圧値を基準電圧値と比較して、ＡＰＣ制御を行う（Ｓ５）。そして、制御回路１１は、このＡＰＣ制御で検出された駆動電流に基づいて、記憶装置１１ａに記憶されている駆動電流情報から、当該駆動電流に対応するバイアス電流を検出する（Ｓ６）。
【００４２】
制御回路１１は、上記ＡＰＣ制御で検出された駆動電流から、バイアス電流を減算することで、加算電流を算出する（Ｓ７）。制御回路１１は、これらバイアス電流及び加算電流が、電流源１３ｂ及び電流源１３ａからレーザダイオードＬＤに供給されるようにするために、設定電圧Ｖｂ及び設定電圧Ｖｓを、上記バイアス電流及び加算電流に応じた値に設定する（Ｓ８）。すなわち、制御回路１１は、記憶装置１１ａに、設定電圧Ｖｂ及び設定電圧Ｖｓを記憶させておき、次回の画像形成動作時及びＡＰＣ制御時には、当該設定電圧Ｖｂ及び設定電圧Ｖｓを用いるようにする。
【００４３】
この処理では、ＡＰＣ制御時における新たなバイアス電流を、記憶装置１１ａに記憶されている駆動電流情報に基づいて検出して決定するので、複雑な回路を用いたり、複雑な処理を行ったりすることなく、バイアス電流及び加算電流を短時間で補正することができる。
【００４４】
図７は複数のレーザダイオードＬＤのそれぞれの動作電流特性を示す図である。露光装置２に複数のレーザダイオードＬＤが設けられており、複数のレーザダイオードＬＤを使用して画像形成が行われるようになっている場合、図７に示すように、各レーザダイオードＬＤの動作電流特性は異なるため、記憶装置１１ａに、これら複数のレーザダイオードＬＤ毎に上記駆動電流情報を記憶させておき、各レーザダイオードＬＤ別に上記処理を行うようにしてもよい。この場合、複数のレーザダイオードＬＤのそれぞれについて、周囲環境の変化に応じた特性変化に合わせて、的確にバイアス電流及び加算電流を補正して設定できる。
【００４５】
また、上記実施形態では、上記記憶装置１１ａは、レーザダイオードＬＤの駆動電流を制御する制御回路１１内に設けているが、半導体レーザ２０１が設けられている基板内（レーザ駆動回路１０内のいずれかの部分）に設けてもよいし、さらには、露光装置２内のいずれかの位置に設けてもよい。また、記憶装置１１ａとして、例えば、ＭＰＵなどに内蔵されているメモリのようにＩＣに内蔵されている記憶装置を用いてもよい。
【００４６】
また、レーザダイオードＬＤ又は画像形成装置の環境条件等も記憶しておき、動作電流やバイアス電流等の設定に用いてもよい。また、上記実施形態では、駆動電流に対応するバイアス電流を記憶装置１１ａに記憶するようにしているが、これに限定されるものではなく、露光装置２の特性（例えば、装置のシリアル番号や、使用時間、周囲温度・湿度等）を記憶して画像形成時に用いても良いし、半導体レーザ２０１の特性を記憶して動作電流設定時に用いてもよい。
【００４７】
例えば、装置の環境条件と電流値を記憶しておくことにより、装置の設置場所の環境条件が変化した場合、その条件にあった電流値を用いてＡＰＣ制御することによりバイアス電流、加算電流の算出を短時間で行える。あるいは記憶している値をそのまま用いることもできる。
【図面の簡単な説明】
【００４８】
【図１】本発明に係る画像形成装置の概略構成を示す図である。
【図２】露光装置の概略構成を示す図である。
【図３】レーザ駆動回路の概略構成を示す図である。
【図４】レーザダイオードの温度に応じた動作電流変化特性を示す図である。
【図５】レーザダイオードの駆動時間経過に応じた動作電流変化特性を示す図である。
【図６】制御回路によるバイアス電流及び加算電流の変更制御処理の流れを示すフローチャートである。
【図７】複数のレーザダイオードのそれぞれの動作電流特性を示す図である。
【符号の説明】
【００４９】
１      プリンタ
２      露光装置
２０１  半導体レーザ
２０２  コリメータレンズ
２０４  回転多面鏡
２０５  ｆ−θレンズ
２０６  ＢＤセンサ
１０    レーザ駆動回路
１１    制御回路
１１ａ  記憶装置
１２    スイッチング回路
１３ａ  電流源
１３ｂ  電流源
１４    Ｉ／Ｖ変換回路
ＬＤ    レーザダイオード
ＰＤ    フォトダイオード
【図１】
2006088362.tif 000003
【図２】
2006088362.tif 000004
【図３】
2006088362.tif 000005
【図４】
2006088362.tif 000006
【図５】
2006088362.tif 000007
【図６】
2006088362.tif 000008
【図７】
2006088362.tif 000009